(57)【要約】　　　（修正有）【課題】不揮発性メモリへの書き込み回数を抑制し、電源を不正遮断した場合においてもメモリ書込みログデータを正確に保持することのできる記録再生装置を提供する。【解決手段】操作表示部５の操作指示入力をもとに音声データの記録再生を制御すると共に、ログアドレスデータを含む操作指示の内容を不揮発性メモリ９にログデータとして逐次記憶する記録再生装置において、前記不揮発性メモリ９は、ログアドレス記憶領域及びマーク記憶領域、並びに前記ログデータを前記ログアドレス及びマークと共に記憶するログ内容記憶領域を備え、前記不揮発性メモリ９のログアドレス記憶領域に記憶されたアドレスに相当するログアドレスのログ内容記憶領域に記憶されたマークと当該アドレスに後続するアドレスに記憶したマークを検出し電源の不正遮断を判別する。【選択図】　　　　図１
2004128638.tif 000002
【特許請求の範囲】
【請求項１】
音声データの記録再生を制御する演算処理部と、
前記演算処理部に対する操作指示を入力する操作部及び操作状況を表示する表示部を有した操作表示部と、
装置の電源遮断時に揮発性メモリに記憶したログアドレスデータを不揮発性メモリに転送して保存するログ記憶制御部を備え、
前記操作表示部の操作指示入力をもとに音声データの記録再生を制御すると共に、ログアドレスデータを含む操作指示の内容を前記不揮発性メモリにログデータとして逐次記憶する記録再生装置において、
前記揮発性メモリは、最新のログデータを記憶したログアドレスを記憶するログアドレス記憶領域及び不揮発性メモリからのログアドレスデータの読み込み毎に更新されるマークを記憶するマーク記憶領域を備え、
前記不揮発性メモリは、前記揮発性メモリに記憶するログアドレス及びマークを記憶するログアドレス記憶領域及びマーク記憶領域、並びに前記ログデータを前記ログアドレス及びマークと共に記憶するログ内容記憶領域を備え、
前記記録再生装置は、前記不揮発性メモリのログアドレス記憶領域に記憶されたアドレスに相当するログアドレスのログ内容記憶領域に記憶されたマークと、当該アドレスに後続するアドレスに記憶したマークを検出し電源の不正遮断を判別する判別部を備えることを特徴とする記録再生装置。
【請求項２】
音声データの記録再生を制御する演算処理部と、
前記演算処理部に対する操作指示を入力する操作部及び操作状況を表示する表示部を有した操作表示部と、
装置の電源遮断時に揮発性メモリに記憶したログアドレスデータを不揮発性メモリに転送して保存するログ記憶制御部を備え、
前記操作表示部の操作指示入力をもとに音声データの記録再生を制御すると共に、ログアドレスデータを含む操作指示の内容を前記不揮発性メモリにログデータとして逐次記憶する記録再生装置であって、
前記揮発性メモリは、最新のログデータを記憶したログアドレスを記憶するログアドレス記憶領域及び不揮発性メモリからのログアドレスデータの読み込み毎に更新されるマークを記憶するマーク記憶領域を備え、
前記不揮発性メモリは、前記揮発性メモリに記憶するログアドレス及びマークを記憶するログアドレス記憶領域及びマーク記憶領域、並びに前記ログデータを前記ログアドレス及びマークと共に記憶するログ内容記憶領域を備え、
前記記録再生装置は、前記不揮発性メモリのログアドレス記憶領域に記憶されたアドレスに相当するログアドレスのログ内容記憶領域に記憶されたマークと、当該アドレスに後続するログアドレスに記憶したマークを検出し電源の不正遮断を判別する判別部を備え、該判別部が電源の不正遮断を判別したとき、後続するマークの付されたアドレスの最終値を揮発メモリのログアドレス記憶領域に転送し、前記マークを前記揮発メモリのマーク記憶領域に更新して転送することを特徴とする記録再生装置。
【発明の詳細な説明】
【０００１】
【発明の属する技術分野】
本発明は記録再生装置に係り、特に記録再生装置に対する操作ログを記録することのできる記録再生装置に関する。
【０００２】
【従来の技術】
特許文献１には、電話回線を介して送受信される音声信号を記録及び再生する記録再生装置が示されている。また、特許文献２には、情報処理装置において、障害発生前に行った操作をログデータとして蓄積し、蓄積したデータをもとに運用状態の監視あるいは診断を行うことが示されている。
【０００３】
前記電話回線を介して送受信する音声信号を記録再生する記録再生装置においては、該記録再生装置に対する操作履歴をログデータとして記録しておき、装置に障害が発生した場合は、前記ログデータを解析することにより障害発生の原因を解明し、これにより障害の再発生を防止している。
【０００４】
図８は、従来の記録再生装置を示す図である。図において、２００は記録再生装置、１は電話回線からの着信を検出する着信検出部、２は音声処理部であり、前記着信した電話回線を音声出力部８を介してオペレータに接続すると共に、オペレータが送受信する音声信号を例えば圧縮処理して音声データ（通話データ）として音声データ一時記憶部４に送信する。３は装置各部を制御する演算処理部、４は音声データを所定量蓄積し、蓄積した音声データを磁気ディスク等の短期記憶用記録再生装置６に記憶する音声データ一時記憶部、５は演算制御部に対する操作指示を入力する操作部及び操作状況を表示する表示部を有した操作表示部、７は短期記憶用記録再生装置６に蓄積した音声データを転送してＤＶＤ等のリムーバブルメディアに記録する長期記憶用記録再生装置、８は音声出力部、９はフラッシュメモリ（Ｆｌａｓｈ　Ｍｅｍｏｒｙ）等からなる不揮発性メモリ、１０はＲＡＭ　（Ｒａｎｄｏｍ　Ａｃｃｅｓｓ　Ｍｅｍｏｒｙ）等からなる揮発性メモリである。１１はログ記憶制御部であり、装置の電源遮断時に揮発性メモリ１０に記憶したログデータを不揮発性メモリ９に転送して保存し、装置の起動時に不揮発性メモリ９保存したログデータを揮発性メモリ１０に転送して記憶する。
【０００５】
演算処理部３は、着信検出部１が電話回線からの着信を検出すると、音声処理部２に入力した音声信号を音声出力部８を介して例えばオペレータのヘッドセットに送信する。また前記音声信号を圧縮処理して音声データー時記憶部４に記憶する。音声データ一時記憶部４は、一定量の音声データを蓄えると、蓄えた音声データを短期記憶用記録再生装置６に転送し、短期記憶用記録再生装置６は該ファイルを通話ファイルとして記憶する。また、短期記憶用記録再生装置６は一定量の音声データを蓄えると、蓄えた音声データを長期記憶用記録再生装置７に転送し、長期記憶用記録再生装置６は該ファイルを更に通話ファイルとして記憶する。
【０００６】
不揮発性メモリ９は、後述するように操作表示部５に対する操作内容をその操作順にアドレスを付してログデータとして記憶する。また、揮発性メモリ１０は、後述するように、前記不揮発性メモリ９に記憶したログデータのうち最後に記憶したログデータのアドレスを記憶する。なお、前記操作表示部５には不揮発性メモリ９に記憶したログデータを表示することができる。
【０００７】
図９ないし図１４は、不揮発性メモリ９及び揮発性メモリ１０を用いたログデータの記憶状態の遷移を説明する図である。
【０００８】
図に示すように不揮発性メモリ９は、前記揮発性メモリ１０におけるログアドレス記憶領域１０１に記憶したデータを書き込むログアドレス記録領域９０２、及び前記ログ内容をログアドレスと共に記憶するログ内容記憶領域９０１を備える。
【０００９】
また、揮発性メモリ１０は、ログ内容記憶領域９０１にログデータを記憶する毎に更新されるログアドレスを記憶するログアドレス記憶領域１０１を備える。
【００１０】
図９は、音声信号の記録を行っている状態を説明する図である。操作表示部５を操作して音声信号の記録を指示すると、ログ記憶制御部１１は、前記操作内容をログデータとしてログ内容記憶領域９０１に記憶するよう制御する。前記ログデータは、操作が行われた順にアドレスを付してログ内容記憶領域９０１に記憶する。また、ログ内容記憶制御部１１は、ログ内容記憶領域９０１に記憶したログデータの内、最後に記憶したログデータのアドレスを揮発性メモリ１０のログアドレス記憶領域１０１に記憶する。
【００１１】
従って、新たなログデータをログ内容記憶領域９０１に記憶する毎に、ログアドレス記憶領域１０１に記憶するアドレスは更新されることになる。すなわち、操作表示部５によって新たな操作が行われると、前記ログ記憶制御部１１は前記ログアドレス記憶領域１０１に記憶したアドレスの次のアドレスに相当するログアドレスに前記新たな操作の内容をログデータとして記憶する。
【００１２】
図１０は、図９に示す状態から記録再生装置２００の電源を正常に遮断した状態を示す図である。図に示すように、操作表示部５により記録再生装置２００の電源の遮断を指示すると、ログ記憶制御部１１は、揮発性メモリ１０のログアドレス記憶領域１０１に記憶したアドレスを不揮発性メモリ９のログアドレス記憶領域９０２に転送して記憶する。
【００１３】
図１１は、図１０の状態から記録再生装置２００の電源を投入した状態を示す図である。図に示すように操作表示部５の操作により電源を投入する操作が行われると、ログ記憶制御部１１は、不揮発性メモリ９のログアドレス記憶領域９０２に記憶されているアドレスを揮発性メモリ１０のログアドレス記憶領域１０１に記憶する。
【００１４】
図１２は、図１１の状態から音声信号の記録動作を行った状態を示す図である。図に示すように、操作表示部５の操作により音声信号の記録を指示すると、ログ記憶制御部１１はログアドレス記憶領域１０１に記憶しているアドレスの次のアドレスのログ内容記憶領域９０１にログデータを記憶するよう制御する。また、ログ記憶制御部１１は、ログ内容記憶領域９０１に最後に記憶したログデータのアドレスをログアドレス記憶領域１０１に記憶する。
【００１５】
以上説明したように、記録再生装置２００は、操作表示部５による操作を行う毎に、その操作内容を不揮発性メモリ９にログデータとして記憶する。また、前記揮発性メモリ１０のログアドレス記憶領域に１０１はログ内容記憶領域に記憶するアドレスの直前のアドレスを表すログアドレスを記憶している。
【００１６】
このような状態において、装置の電源を遮断すると、前記ログアドレス記憶領域１０１に記憶したデータ（アドレスデータ）は消去される。しかしながら、電源を遮断（正常に遮断）する前に前記ログアドレス記憶領域１０１に記憶したデータは不揮発性メモリのログアドレス記憶領域９０２に転送しているため該データは消去されることはない。
【００１７】
従って、電源を遮断するときに、前記アドレスデータを不揮発性メモリ９のログアドレス記憶領域９０２に一時記憶し、次いで電源を投入するときに、ログ内容記憶領域９０２に記憶したアドレスデータをログアドレス記憶領域１０１に転送して記憶することにより、ログアドレス記憶領域１０１には、電源を投入したとき常にその直前に電源を遮断した時のアドレスデータを保持することができる。
【００１８】
なお、不揮発性メモリ９及び揮発性メモリ１０を設けない場合、すなわち、ログ内容記憶領域９０１に記憶するアドレスの直前のアドレスを表すログアドレスを記憶しない場合は、ユーザがログ内容記憶領域９０１の記憶内容を確認して新たなログデータを記憶するアドレスを見つけることが必要となり処理が煩雑となる。
【００１９】
また、前記アドレスを揮発性メモリ１０に記憶せず、直接、不揮発性メモリ９のログアドレス記憶領域９０２にのみ記憶すれば、揮発性メモリ１０は不要となる。しかし、この場合、ログデータをログ内容記憶領域９０１に記憶する毎にそのアドレスを不揮発性メモリ９のログアドレス記憶領域９０２に記憶することになる。すなわち不揮発性メモリ９の同一記憶領域に対する書き込み回数が急増する。一般に、フラッシュメモリから成る不揮発性メモリ９は、同一の記憶領域にデータを書き込みできる回数は現在のところ１万回〜１０万回である。このため、ログ内容記憶領域９０１にログデータを記憶する毎にログアドレス記憶領域９０２に記憶するアドレスの更新を行なう構成とすると、不揮発性メモリ９の使用可能期間が短くなり、その交換頻度が増加する。
【００２０】
【特許文献１】
特開２００１−２０３８１４号公報
【００２１】
【特許文献２】
特開平４−２３８５５０号公報
【００２２】
【発明が解決しようとする課題】
図１３は、図１２に示す状態において、記録再生装置２００の電源を不正遮断（不揮発性メモリ１０のログアドレス記憶領域１０１に記憶したアドレスデータを不揮発性メモリ９のログアドレス記憶領域９０２に正常に転送することなく遮断）した後に、再度、記録再生装置２００の電源を投入した状態を示す図である。　記録録再生装置２００が動作しているときに、例えば、演算処理部３にエラーが生じたり、あるいは外部からの電源の供給が遮断した場合には、不揮発性メモリ１０に記憶したアドレスデータを不揮発性メモリ９に正常に転送することはできなくなる。このため、再度、記録再生装置の電源を投入した場合、ログ記憶制御部１１は、ログアドレス記憶領域９０２に記憶しているアドレス（前回に使用したアドレス）をログ内容記憶領域９０１にログ内容記憶領域１０１に記憶する。
【００２３】
従って、図１３に示すように、電源を不正遮断する以前において、ログ内容記憶領域９０１のアドレス３までにログデータ「ＡＡＡＡ」、「ＢＢＢＢ」、「ＣＣＣＣ」が正常に記憶されているとしても、揮発性メモリ１０の記憶領域１０１には、ログアドレス記憶領域９０２に記憶してあるデータであるアドレス２が誤って記憶されることになる。
【００２４】
図１４は、図１３に示す状態から音声信号の記録動作を行った状態を示す図である。図に示すように、新たなログデータである「ＤＤＤＤ」が、ログ内容記憶領域の９０１のアドレス３に上書きして記憶されることになる。すなわち図１３に示すアドレス３に記憶したログデータ「ＣＣＣＣ」が消去されることになる。
【００２５】
本発明は、これらの問題点に鑑みてなされたもので、不揮発性メモリに対する書き込み回数を抑制し、更に電源を不正遮断した場合においてもメモリに書き込んだログデータを正確に保持することのできる記録再生装置を提供する。
【００２６】
【課題を解決するための手段】
本発明は、上記の課題を解決するために次のような手段を採用した。
【００２７】
音声データの記録再生を制御する演算処理部と、前記演算処理部に対する操作指示を入力する操作部及び操作状況を表示する表示部を有した操作表示部と、
装置の電源遮断時に揮発性メモリに記憶したログアドレスデータを不揮発性メモリに転送して保存するログ記憶制御部を備え、前記操作表示部の操作指示入力をもとに音声データの記録再生を制御すると共に、ログアドレスデータを含む操作指示の内容を前記不揮発性メモリにログデータとして逐次記憶する記録再生装置において、前記揮発性メモリは、最新のログデータを記憶したログアドレスを記憶するログアドレス記憶領域及び不揮発性メモリからのログアドレスデータの読み込み毎に更新されるマークを記憶するマーク記憶領域を備え、前記不揮発性メモリは、前記揮発性メモリに記憶するログアドレス及びマークを記憶するログアドレス記憶領域及びマーク記憶領域、並びに前記ログデータを前記ログアドレス及びマークと共に記憶するログ内容記憶領域を備え、前記記録再生装置は、前記不揮発性メモリのログアドレス記憶領域に記憶されたアドレスに相当するログアドレスのログ内容記憶領域に記憶されたマークと、当該アドレスに後続するアドレスに記憶したマークを検出し電源の不正遮断を判別する判別部を備える。
【００２８】
【発明の実施の形態】
以下、本発明の実施形態を添付図面を参照しながら説明する。図１は、本発明の実施形態にかかる記録再生装置を説明する図である。図において、１２はマーク判別部であり、不揮発性メモリの後述するマーク記憶領域及びログ内容記憶領域に記憶したマークを判別する。なお、図において図８に示される部分と同一部分については同一符号を付してその説明を省略する。
【００２９】
図２ないし図７は、不揮発性メモリ９及び揮発性メモり１０を用いたログデータの記憶状態の遷移を説明する図である。図に示すように不揮発性メモリ９は、前記揮発性メモリ１０におけるログアドレス記憶領域１０１に記憶したデータを書き込むログアドレス記憶領域９０２、前記揮発性メモリ１０におけるマーク記憶領域１０２に記憶したデータを書き込むマーク記憶領域９０３、及び前記ログデータをログアドレス及び前記揮発性メモリに記憶したマークと共に記憶するログ内容記憶領域９０１を備える。
【００３０】
また、揮発性メモリ１０は、ログ内容記憶領域にログデータを記憶する毎に更新されるログアドレスを記憶するログアドレス記憶領域１０１、及び不揮発性メモリ９からのログアドレスデータ等のログデータの読み込み毎に更新されるマークを記憶するマーク記憶領域１０２を備える。
【００３１】
図２は、音声信号の記録を行っている状態を説明する図である。操作表示部５を操作して音声信号の記録を指示すると、ログ記憶制御部１１は、前記操作内容をログデータとしてログ内容記憶領域９０１に記憶するよう制御する。前記ログデータは、操作が行われた順にアドレスを付してログ内容記憶領域９０１に記憶する。また、ログ内容記憶制御部１１は、ログ内容記憶領域９０１に記憶したログデータの内、最後に記憶したログデータのアドレスを揮発性メモリ１０のログアドレス記憶領域１０１に記憶する。
【００３２】
従って、新たなログデータをログ内容記憶領域９０１の新たなログアドレスに記憶する毎に、ログアドレス記憶領域１０１に記憶するアドレスは更新されることになる。すなわち、操作表示部５によって新たな操作が行われると、前記ログ記憶制御部１１は前記ログアドレス記憶領域１０１に記憶したアドレスの次のアドレスに相当するログアドレスに前記新たな操作の内容をログデータとして記憶する。
【００３３】
ログ記憶制御部１１は、揮発性メモリ１０のマーク記憶領域１０２に何も記憶されてない場合、初期状態であることを示すマーク、例えば、「０００１」をマーク記憶領域１０２に記憶する。ログ記憶制御部１１は、ログデータを不揮発性メモリ９のログ内容記憶領域９０１に記憶する際、マーク記憶領域１０２に記憶したマークと同じマークである「０００１」を同時に記憶する。
【００３４】
図３は、図２に示す状態から記録再生装置２０の電源を正常に遮断した状態を示す図である。図に示すように、操作表示部５により記録再生装置２０の電源の遮断を指示すると、ログ記憶制御部１１は、揮発性メモリ１０のログアドレス記憶領域１０１に記憶したアドレス、及びマーク記憶領域１０２に記憶したマークをそれぞれ不揮発性メモリ９のログアドレス記憶領域９０２及びマーク記憶領域９０３に転送して記憶する。
【００３５】
図４は、図３の状態から記録再生装置２０の電源を投入した状態を示す図である。図に示すように操作表示部５の操作により電源を投入する操作が行われると、ログ記憶制御部１１は、不揮発性メモリ９のログアドレス記憶領域９０２に記憶されているアドレスを揮発性メモリ１０のログアドレス記憶領域１０１に記憶する。また、マーク記憶領域９０３に記憶されているマークを更新、例えばインクリメントしてマーク記憶領域１０２に記憶する。
【００３６】
図５は、図４の状態から音声信号の記録動作を行った状態を示す図である。図に示すように、操作表示部５の操作により音声信号の記録を指示すると、ログ記憶制御部１１はログアドレス記憶領域１０１に記憶しているアドレスの次のアドレスのログ内容記憶領域９０１にログ内容を記憶すると共にマーク記憶領域１０２に記憶されているマークを記憶する。
【００３７】
また、ログ記憶制御部１１は、ログ内容記領域９０１に最後に記憶したログデータのアドレスをログアドレス記憶領域１０１に記憶する。
【００３８】
図６は、図５に示す状態において、記録再生装置２０の電源を不正遮断（不揮発性メモリ１０のログアドレス記憶領域１０１に記憶したアドレスデータを不揮発性メモリ９のログアドレス記憶領域９０２に正常に転送することなく遮断）した後に、再度、記録再生装置２０の電源を投入した状態を示す図である。
【００３９】
図に示すように、記録録再生装置２０が動作しているときに、例えば、演算処理部３がにエラーが生じたり、あるいは外部からの電源の供給が遮断した場合には、揮発性メモリ１０のログアドレス記憶領域１０１に記憶したアドレスデータ及びマーク記憶領域１０２に記憶したマークを不揮発性メモリ９に正常に転送することはできない。
【００４０】
次に、記録再生装置２０の電源を再投入すると、マーク判別部１２は、不揮発性メモリ９のログアドレス記憶領域９０２に記憶したアドレス（アドレス２）に基づいて、前記アドレス２に記憶されたマーク（０００１）と前記アドレスの次のアドレス（次アドレス（アドレス３））に記憶されたマーク（０００２）を検出する。次いで、検出した次アドレス（アドレス３）のマーク（０００２）がログアドレス記憶領域９０２に記憶されたアドレス（アドレス２）に記憶されているマーク（０００１）をインクリメントしたマーク（０００２）であるか否かを判別する。
【００４１】
検出した次アドレス（アドレス３）のマーク（０００２）がログアドレス記憶領域９０２に記憶されたアドレス（アドレス２）に記憶されているマーク（０００１）をインクリメントしたマーク（０００２）である場合、再度、この次アドレス（アドレス３）以降のマーク（ＸＸＸＸ）を検出し、次アドレス（アドレス３）がログデータが最後に記憶されているアドレス（最終記憶アドレス）であることを確認する。マーク判別部１２は、次アドレス（アドレス３）がログデータが最後に記憶されているアドレス（最終記憶アドレス）であることを確認すると、次アドレス（アドレス３）が最終記憶アドレスであることを示す指示信号をログ記憶制御部１１に出力する。
【００４２】
ログ記憶制御部１１は、マーク判別部１２が最終記憶アドレスとして検出したアドレス（アドレス３）、及び該アドレスの記憶領域に記憶されているマーク（０００２）をインクリメントしたマーク（０００３）を揮発性メモリ１０のログアドレス記憶領域１０１及びマーク記憶顛域１０２に記憶する。
【００４３】
図７は、図６に示す状態から音声信号の記録動作を行った状態を示す図である。図に示すように、操作表示部５を操作して記録動作を指示すると、ログ記憶制御部１１は、ログ内容記憶領域の、ログアドレス記憶領域１０１に記憶されているアドレス（アドレス３）の次のアドレスであるアドレス４にログデータを記憶する。また、ログ記憶制御部１１は、ログ内容記憶領域９０１にデータを記憶する毎に、その記憶したログデータの最新のアドレスをログアドレス記憶領域１０１に記憶する。
【００４４】
以上説明したように、本実施形態によれば、記録再生装置２０が動作している最中に、例えば、演算処理部３にエラーを生じたり、あるいは外部からの電源　供給が遮断して正常な電源の遮断動作ができなかった場合において、再度電源を投入した場合、マーク判別部１２はログアドレス記憶領域９０２に記憶したアドレスの次アドレスのマークを検出するので、ログアドレス記憶領域９０２に記憶したアドレス以降にログデータが記憶されていても該ログデータが消去されることを防止することができる。
【００４５】
また、電源を投入したときに、マーク判別部１２は、不揮発性メモリ９のログアドレス記憶領域９０２に記憶したアドレス（アドレス２）に基づいて、前記アドレス２に記憶されたマーク（０００１）と前記アドレスの次のアドレス（次アドレス（アドレス３））に記憶されたマーク（０００２）を検出する。次いで、検出した次アドレス（アドレス３）のマーク（０００２）がログアドレス記憶領域９０２に記憶されたアドレス（アドレス２）に記憶されているマーク（０００１）をインクリメントしたマーク（０００２）であるか否かを判別する。
【００４６】
このため、例えば、過去に他の記録再生装置でこの不揮発性メモリ９を用いていたことにより、ログ内容記憶領域９０１の各アドレスに過去の不要なログデータ及びマークが記憶されている場合においても、ログ内容記憶領域９０１の各アドレスのうちから記録再生装置２０に用いてからの必要なログデータが最後に記憶されている最終記憶アドレスを正確に確認することができる。従って、前記操作表示部５の操作が行われた順にログデータを正確に記憶することができる。
【００４７】
尚、以上の説明においては、各記憶部に記憶するマークを「０００１」からインクリメントしたものとしているが、記録再生装置２０に時計情報を生成する時計部を備え、該時計部から出力する時刻情報をマークとすることも可能である。しかし、時計情報をマークとすると、例えば、記録再生装置２０の時刻情報を時間軸を戻す方向に訂正した場合に、ログ内容記憶領域９１の各アドレスに記憶したマークとの整合性がとれなくなってしまう虞があるため、時計部の時計情報は時間軸を戻す方向に訂正されない構成とすることが必要である。
【００４８】
【発明の効果】
以上説明したように本発明によれば、不揮発性メモリに対する書き込み回数を抑制し、更に電源を不正遮断した場合においてもメモリに書き込んだログデータを正確に保持することのできる記録再生装置を提供することができる。
【図面の簡単な説明】
【図１】本発明の実施形態にかかる記録再生装置を説明する図である。
【図２】不揮発性メモリ及び揮発性メモリにおけるログデータの記憶状態の遷移を説明する図である。
【図３】不揮発性メモリ及び揮発性メモリにおけるログデータの記憶状態の遷移を説明する図である。
【図４】不揮発性メモリ及び揮発性メモリにおけるログデータの記憶状態の遷移を説明する図である。
【図５】不揮発性メモリ及び揮発性メモリにおけるログデータの記憶状態の遷移を説明する図である。
【図６】不揮発性メモリ及び揮発性メモリにおけるログデータの記憶状態の遷移を説明する図である。
【図７】不揮発性メモリ及び揮発性メモリにおけるログデータの記憶状態の遷移を説明する図である。
【図８】従来の記録再生装置を示す図である。
【図９】不揮発性メモリ及び揮発性メモリにおけるログデータの記憶状態の遷移を説明する図である。
【図１０】不揮発性メモリ及び揮発性メモリにおけるログデータの記憶状態の遷移を説明する図である。
【図１１】不揮発性メモリ及び揮発性メモリにおけるログデータの記憶状態の遷移を説明する図である。
【図１２】不揮発性メモリ及び揮発性メモリにおけるログデータの記憶状態の遷移を説明する図である。
【図１３】不揮発性メモリ及び揮発性メモリにおけるログデータの記憶状態の遷移を説明する図である。
【図１４】不揮発性メモリ及び揮発性メモリにおけるログデータの記憶状態の遷移を説明する図である。
【符号の説明】
１　着信検出部
２　音声処理部
３　演算処理部
４　音声データ一時記憶部
５　操作表示部
６　磁気記録再生装置
７　長期記憶用記録再生装置
８　音声出力部
９　不揮発性メモリ
１０　揮発性メモリ
１１　ログ記録制御部
１２　マーク判別部
１０１　ログアドレス記憶領域
１０２　マーク記憶領域
９０１　ログ内容記憶領域
９０２　ログアドレス記憶領域
９０３　マーク記憶領域
【図１】
2004128638.tif 000003
【図２】
2004128638.tif 000004
【図３】
2004128638.tif 000005
【図４】
2004128638.tif 000006
【図５】
2004128638.tif 000007
【図６】
2004128638.tif 000008
【図７】
2004128638.tif 000009
【図８】
2004128638.tif 000010
【図９】
2004128638.tif 000011
【図１０】
2004128638.tif 000012
【図１１】
2004128638.tif 000013
【図１２】
2004128638.tif 000014
【図１３】
2004128638.tif 000015
【図１４】
2004128638.tif 000016